(57)【特許請求の範囲】
【請求項１】
進化型パケットデータゲートウェイであって、
−  ユーザ機器が、信頼されないワイヤレスローカルエリアネットワークアクセスを経由した第３世代パートナーシッププロジェクトパケットコアネットワークへのアクセスのためにアタッチされる、ワイヤレスローカルエリアネットワークアクセスネットワークの、ワイヤレスローカルエリアネットワークロケーション情報と呼ばれる、ロケーション情報の報告または検索をサポートすることと、
−  前記進化型パケットデータゲートウェイが、パケットデータネットワーク接続が確立された後、パケットデータネットワークゲートウェイに向かって最新のユーザロケーション情報を報告する必要がある場合、第３世代パートナーシッププロジェクト認証許可アカウンティングサーバから最新のワイヤレスローカルエリアネットワークロケーション情報を照会することと
を行うように構成された、進化型パケットデータゲートウェイ。
【請求項２】
−  前記第３世代パートナーシッププロジェクト認証許可アカウンティングサーバへのＳＷｍインターフェースを介して新しい許可プロシージャを開始することと、
−  前記プロシージャ中に第３世代パートナーシッププロジェクト認証許可アカウンティングサーバから受信されたＳＷｍ許可回答において、ワイヤレスローカルエリアネットワークロケーション情報またはワイヤレスローカルエリアネットワークロケーション情報の不在の指示を受信することと
を行うように構成された、請求項１に記載の進化型パケットデータゲートウェイ。
【請求項３】
−  情報要素、すなわち、
−−  ワイヤレスローカルエリアネットワークロケーション情報情報要素：存在する場合、この情報要素は、ユーザ機器がアタッチされるワイヤレスローカルエリアネットワークアクセスネットワークのロケーション情報を含んでいる、
−−  ワイヤレスローカルエリアネットワークロケーションタイムスタンプ情報要素：この情報要素は、ワイヤレスローカルエリアネットワークロケーション情報情報要素が存在する場合に存在し得、存在するとき、この情報要素は、ユーザ機器が、ワイヤレスローカルエリアネットワークロケーション情報において報告されたロケーションにあると最後に知られたネットワークタイムプロトコル時間を含んでいる
を含むＳＷｍ許可回答を第３世代パートナーシッププロジェクト認証許可アカウンティングサーバから受信する
ように構成された、請求項１または２に記載の進化型パケットデータゲートウェイ。
【請求項４】
第３世代パートナーシッププロジェクト認証許可アカウンティングサーバであって、
−  ユーザ機器が、信頼されないワイヤレスローカルエリアネットワークアクセスを経由した第３世代パートナーシッププロジェクトパケットコアネットワークへのアクセスのためにアタッチされる、ワイヤレスローカルエリアネットワークアクセスネットワークの、ワイヤレスローカルエリアネットワークロケーション情報と呼ばれる、ロケーション情報の報告または検索をサポートすることと、
−  パケットデータネットワーク接続が確立された後に、最新のワイヤレスローカルエリアネットワークロケーション情報のために、進化型パケットデータゲートウェイからの照会があると、ワイヤレスローカルエリアネットワークロケーション情報またはワイヤレスローカルエリアネットワークロケーション情報の不在の指示を進化型パケットデータゲートウェイに与えることと
を行うように構成された、第３世代パートナーシッププロジェクト認証許可アカウンティングサーバ。
【請求項５】
−  前記進化型パケットデータゲートウェイによって開始されたＳＷｍインターフェースを介した許可プロシージャ中に前記進化型パケットデータゲートウェイに向かって送信されるＳＷｍ許可回答において、ワイヤレスローカルエリアネットワークロケーション情報またはワイヤレスローカルエリアネットワークロケーション情報の不在の指示を与える
ように構成された、請求項４に記載の第３世代パートナーシッププロジェクト認証許可アカウンティングサーバ。
【請求項６】
−  情報要素、すなわち、
−−  ワイヤレスローカルエリアネットワークロケーション情報情報要素：存在する場合、この情報要素は、ユーザ機器がアタッチされるワイヤレスローカルエリアネットワークアクセスネットワークのロケーション情報を含んでいる、
−−  ワイヤレスローカルエリアネットワークロケーションタイムスタンプ情報要素：この情報要素は、ワイヤレスローカルエリアネットワークロケーション情報情報要素が存在する場合に存在し得、存在するとき、この情報要素は、ユーザ機器が、ワイヤレスローカルエリアネットワークロケーション情報において報告されたロケーションにあると最後に知られたネットワークタイムプロトコル時間を含んでいる
を含むＳＷｍ許可回答を進化型パケットデータゲートウェイに送信する
ように構成された、請求項４または５に記載の第３世代パートナーシッププロジェクト認証許可アカウンティングサーバ。
【請求項７】
ユーザ機器が、信頼されないワイヤレスローカルエリアネットワークアクセスを経由した第３世代パートナーシッププロジェクトパケットコアネットワークへのアクセスのためにアタッチされる、ワイヤレスローカルエリアネットワークアクセスネットワークの、ワイヤレスローカルエリアネットワークロケーション情報と呼ばれる、ロケーション情報の報告または検索のサポートのための方法であって、前記方法が、進化型パケットデータゲートウェイが、
−  ユーザ機器が、信頼されないワイヤレスローカルエリアネットワークアクセスを経由した第３世代パートナーシッププロジェクトパケットコアネットワークへのアクセスのためにアタッチされる、ワイヤレスローカルエリアネットワークアクセスネットワークの、ワイヤレスローカルエリアネットワークロケーション情報と呼ばれる、ロケーション情報の報告または検索のサポートすることと、
−  前記パケットデータゲートウェイが、パケットデータネットワーク接続が確立された後、パケットデータネットワークゲートウェイに向かって最新のユーザロケーション情報を報告する必要がある場合、第３世代パートナーシッププロジェクト認証許可アカウンティングサーバから最新のワイヤレスローカルエリアネットワークロケーション情報を照会することと
を含む、方法。
【発明の詳細な説明】
【技術分野】
【０００１】
本発明は、一般にモバイル通信ネットワークおよびシステムに関する。
【背景技術】
【０００２】
モバイルネットワークおよびシステムの説明は、特に、たとえば３ＧＰＰ（第３世代パートナーシッププロジェクト）などの標準化団体によって発行された技術仕様書など、文献に見出され得る。
【０００３】
３ＧＰＰモバイルシステムの一例は、ＥＰＳ（進化型パケットシステム）である。ＥＰＳなどのシステムでは、ユーザ機器ＵＥは、アクセスネットワーク（またはＩＰ接続性アクセスネットワークＩＰ−ＣＡＮ）とも呼ばれるＥＰＳネットワークを経由した、ＩＭＳネットワークなど、ＰＤＮ（パケットデータネットワーク）と呼ばれる様々な外部ＩＰネットワークへのアクセスを有する。
【０００４】
ＥＰＳネットワークは、（ＰＤＮ接続性と呼ばれる）ＩＰ接続性を与えるＥＰＣ（進化型パケットコア）と呼ばれるコアネットワークを含む。ＥＰＣは、３ＧＰＰアクセスによってだけでなく、特に、以下でより詳細に考察されるＷＬＡＮアクセスなど、非３ＧＰＰアクセスによってもアクセスされ得る。ＥＰＣへのＷＬＡＮアクセスが、特に３ＧＰＰ  ＴＳ  ２３．４０２において規定されており、信頼されたＷＬＡＮアクセスと信頼されないＷＬＡＮアクセスとを含む。ＥＰＣへの３ＧＰＰおよび非３ＧＰＰ（信頼されたまたは信頼されない）アクセスのためのアーキテクチャの一例は、３ＧＰＰ  ＴＳ  ２３．４０２からとられた図１において想起される。
【０００５】
以下でより詳細に考察される信頼されないＷＬＡＮアクセスは、特に３ＧＰＰ  ＴＳ  ２３．４０２によって規定されているように、ｅＰＤＧ（進化型パケットデータゲートウェイ）および３ＧＰＰ  ＡＡＡサーバなどのエンティティと、ＷＬＡＮ  ＡＮ（ＷＬＡＮアクセスネットワーク）と３ＧＰＰ  ＡＡＡサーバとの間のＳＷａインターフェース、およびｅＰＤＧと３ＧＰＰ  ＡＡＡサーバとの間のＳＷｍインターフェースなどのインターフェースとを伴う。認証および許可プロシージャならびにこれらのプロシージャのためのプロトコルが、特に３ＧＰＰ  ＴＳ  ３３．４０２と３ＧＰＰ  ＴＳ  ２９．２７３とにおいて規定されている。
【０００６】
以下の説明では、ＥＰＳ事例が（単に例として）より詳細に考察されるが、ＧＰＲＳなど、ＥＰＳ以外のシステムにおいて同様の概念があり得る（ＥＰＣをＧＰＲＳコアネットワークで置き換え、ｅＰＤＧをＰＤＧで置き換える）。
【０００７】
そのようなシステムでは、アクセスネットワークから検索された、（ＵＥロケーション情報と呼ばれる）ユーザのロケーションに関係する情報が、たとえば、ＩＭＳセッションのセットアップにおいて、またはＩＭＳセッション中のメディアの追加または削除において、またはＩＭＳセッションの解放において（たとえば、Ｐ−ＣＳＣＦまたはアプリケーションサーバＡＳによって）たとえばＩＭＳにおいて必要とされ得る。
【０００８】
したがって、ＵＥロケーション情報を報告することを可能にするプロシージャが、信頼されないＷＬＡＮアクセスのために導入され、ＷＬＡＮロケーション情報と呼ばれる、現在のユーザのロケーションを報告することを可能にしている。
【０００９】
しかしながら、発明者によって認識されるように、および後でより詳細に説明されるように、そのようなプロシージャは、現在、ＵＥが、ｅＰＤＧとのそれのＩＫＥｖ２トンネル（したがって、ＰＧＷとのＰＤＮ接続）を保ちながら新しいＡＰ（アクセスポイント）に移動したときなど、ＷＬＡＮロケーション情報の変化を報告または検索することを可能にしない。
【先行技術文献】
【非特許文献】
【００１０】
【非特許文献１】３ＧＰＰ  ＴＳ  ２３．４０２
【非特許文献２】３ＧＰＰ  ＴＳ  ３３．４０２
【非特許文献３】３ＧＰＰ  ＴＳ  ２９．２７３
【非特許文献４】３ＧＰＰ  ＴＳ  ２３．２２８  付属書類Ｅ．７、ＲおよびＴ．１
【非特許文献５】３ＧＰＰ  Ｒｅｌ−１３
【非特許文献６】３ＧＰＰ  Ｒｅｌ−１３、２９．２７３  ＣＲ  ０４３０、Ｃ４−１５１７１５
【非特許文献７】ＩＥＴＦ  ＲＦＣ  ４２８２［１５］
【非特許文献８】３ＧＰＰ  ＴＳ  ２３．００３［１４］、クローズ１９
【非特許文献９】３ＧＰＰ  ＴＳ  ２４．３０２［２６］
【非特許文献１０】３ＧＰＰ  ＴＳ  ２３．１３９［３９］
【非特許文献１１】３ＧＰＰ  ＴＳ  ２９．２２９［２４］
【非特許文献１２】３ＧＰＰ  ＴＳ  ２９．２７３、サブクローズ７．１．２．５．１
【非特許文献１３】ＩＥＴＦ  ＲＦＣ  ４０７２［５］
【非特許文献１４】３ＧＰＰ  ＴＳ  ２３．００３［３］
【非特許文献１５】３ＧＰＰ  ＴＳ  ２９．２７２［２９］
【非特許文献１６】３ＧＰＰ  ＴＳ  ２３．００３［１４］
【非特許文献１７】３ＧＰＰ  ＴＳ  ３２．４２２［３２］
【非特許文献１８】３ＧＰＰ  ＴＳ  ２９．０６１［３１］
【非特許文献１９】３ＧＰＰ  ＴＳ  ２９．３２８、サブクローズ６．１．１
【非特許文献２０】３ＧＰＰ  ＴＳ  ２９．３２９、サブクローズ６．３．７Ａ
【非特許文献２１】３ＧＰＰ  ＴＳ  ２９．２７３、サブクローズ８．１．２．３．２
【非特許文献２２】３ＧＰＰ  ＴＳ  ２９．２７３、サブクローズ４．１．２．４
【発明の概要】
【課題を解決するための手段】
【００１１】
したがって、信頼されないＷＬＡＮアクセスのためのＷＬＡＮロケーション情報の報告または検索のサポートを改善する必要がある。本発明の実施形態は、特にそのような必要に対処する。
【００１２】
これらおよび他の目的は、一態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  ＵＥの移動性があった場合、３ＧＰＰパケットコアネットワークへの信頼されないアクセスを介した前記ＵＥとの安全なリンクを終端する機能に、新しいＷＬＡＮロケーション情報またはＷＬＡＮロケーション情報の不在の指示を与える
ように構成された３ＧＰＰ  ３ＧＰＰ  ＡＡＡサーバによって達成される。
【００１３】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  前記ｅＰＤＧが、ユーザロケーション情報ＵＬＩを報告する必要がある場合、３ＧＰＰ  ＡＡＡサーバからＷＬＡＮロケーション情報をフェッチする
ように構成されたｅＰＤＧなど、３ＧＰＰパケットコアネットワークへの信頼されないアクセスを介した前記ＵＥとの安全なリンクを終端する機能によって達成される。
【００１４】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  ３ＧＰＰ  ＡＡＡサーバがｅＰＤＧにＷＬＡＮロケーション情報の変化をプッシュするプッシュモードと、ｅＰＤＧが３ＧＰＰ  ＡＡＡサーバからＷＬＡＮロケーション情報をプルするプルモードとを含む、２つのＷＬＡＮロケーション情報検索ＷＬＩＲモードのうちのどちらを３ＧＰＰ  ＡＡＡサーバがサポートするかをアドバタイズする
ように構成された前記３ＧＰＰ  ＡＡＡサーバによって達成される。
【００１５】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  ３ＧＰＰ  ＡＡＡサーバがｅＰＤＧにＷＬＡＮロケーション情報の変化をプッシュするプッシュモードと、ｅＰＤＧが３ＧＰＰ  ＡＡＡサーバからＷＬＡＮロケーション情報をプルするプルモードとを含む、２つのＷＬＡＮロケーション情報検索ＷＬＩＲモードのうちのどちらをｅＰＤＧがサポートするかをアドバタイズする
ように構成された前記ｅＰＤＧによって達成される。
【００１６】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  ＵＥの移動性があった場合、３ＧＰＰ  ＡＡＡサーバによってそのように要求されると、３ＧＰＰ  ＡＡＡサーバにＷＬＡＮロケーション情報の変化を報告する
ように構成されたＷＬＡＮアクセスネットワークＷＬＡＮ  ＡＮによって達成される。
【００１７】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために、信頼されないＷＬＡＮアクセスのためのＷＬＡＮロケーション情報を要求するためのホーム加入者サーバＨＳＳからのユーザプロファイル更新要求を受信した時に、以下の行為：
−  ホーム加入者サーバＨＳＳに信頼されないＷＬＡＮアクセスにおけるＷＬＡＮロケーション情報を返すことと、
−  ＷＬＡＮロケーション情報を検索するために、ＷＬＡＮ  ＡＮに向かってＳＷａインターフェースを介して再認証および許可プロシージャを開始することと
のうちの少なくとも１つを実行するように構成された３ＧＰＰ  ＡＡＡサーバによって達成される。
【００１８】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  ３ＧＰＰ  ＡＡＡサーバに信頼されないＷＬＡＮアクセスのためのＷＬＡＮロケーション情報を要求するＳｈプル要求メッセージを、ホーム加入者サーバＨＳＳに送信する
ように構成されたアプリケーションサーバによって達成される。
【００１９】
これらおよび他の目的は、別の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために：
−  信頼されないＷＬＡＮアクセスのためのＷＬＡＮロケーション情報を要求するために、ユーザプロファイル更新要求を開始する
ように構成されたホーム加入者サーバＨＳＳによって達成される。
【００２０】
これらおよび他の目的は、他の態様では、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのための（１つまたは複数の）方法によって達成され、前記（１つまたは複数の）方法は、上記のエンティティ（３ＧＰＰ  ＡＡＡサーバ、ｅＰＤＧまたはＰＤＧ、ＷＬＡＮアクセスネットワーク、ＨＳＳ、アプリケーションサーバ）のうちの少なくとも１つによって実行される少なくとも１つのステップを含む。
【００２１】
次に、本発明の実施形態による装置および／または方法のいくつかの実施形態について、単に例として、および添付の図面を参照しながら説明する：
【図面の簡単な説明】
【００２２】
【図１】ＥＰＣへの３ＧＰＰおよび非３ＧＰＰ（信頼されたまたは信頼されていない）アクセスのためのアーキテクチャの一例を想起することを意図する図である。
【図２】信頼されないＷＬＡＮアクセスを介したＰＤＮ接続確立プロシージャのためのシグナリングフローの一例を想起することを意図する図である。
【図３】本発明の実施形態による、シグナリングフローを示すことを意図する図である。
【図４】本発明の実施形態による、シグナリングフローを示すことを意図する図である。
【図５】本発明の実施形態による、シグナリングフローを示すことを意図する図である。
【発明を実施するための形態】
【００２３】
略語
ＡＡＡ  認証許可アカウンティング
ＡＫＡ  認証およびキー合意
ＡＮ  アクセスネットワーク
ＡＶＰ  属性値ペア
ＤＥＡ  ダイアメータ（Ｄｉａｍｅｔｅｒ）ＥＡＰ回答
ＤＥＲ  ダイアメータＥＡＰ要求
ＥＡＰ  拡張認証プロトコル
ＥＰＣ  進化型パケットコア
ｅＰＤＧ  進化型パケットデータゲートウェイ
ＥＰＳ  進化型パケットシステム
ＧＰＲＳ  汎用パケット無線サービス
ＨＳＳ  ホーム加入者サーバ
ＩＫＥ  インターネットキー交換
ＩＭＳ  ＩＰマルチメディアサブシステム
ＮＴＰ  ネットワーク時間プロトコル
ＰＤＧ  パケットデータゲートウェイ
ＰＤＮ  パケットデータネットワーク
ＰＧＷ  ＰＤＮゲートウェイ
ＰＬＭＮ  パブリックランドモバイルネットワーク
ＴＷＡＮ  信頼されたＷＬＡＮアクセスネットワーク
ＵＷＡＮ  信頼されないＷＬＡＮアクセスネットワーク
ＵＥ  ユーザ機器
ＷＬＡＮ  ワイヤレスローカルエリアネットワーク
【００２４】
本発明の様々な態様および／または実施形態の説明
規制要件（たとえばデータ保持、合法的傍受）に準拠するために、および／またはユーザのロケーションに基づくいくつかのタイプの付加価値サービスを可能にするために、アクセスネットワークによって与えられるユーザのロケーションに関係する情報が、ＩＭＳにおいて必要とされ得る。ユーザロケーション情報はまた、それらのネットワークにおけるユーザの体感品質を査定するために、およびカスタマーケア）に報告された問題を解決するために、ＩＭＳに報告され、事業者によって使用される。
【００２５】
この目的で、Ｐ−ＣＳＣＦおよびＡＳが、ＩＭＳセッションのセットアップ、メディアの追加または削除、あるいはＩＭＳセッションの解放中に、信頼されたＷＬＡＮアクセスのためにＧＰＲＳ／ＥＰＳにおいてまたは非ＥＰＳにおいてユーザロケーションを検索することを可能にするネットワーク提供ロケーション情報（ＮＰＬＩ：Ｎｅｔｗｏｒｋ  Ｐｒｏｖｉｄｅｄ  Ｌｏｃａｔｉｏｎ  Ｉｎｆｏｒｍａｔｉｏｎ）検索プロシージャが、以前の３ＧＰＰリリースにおいて規定されている。
【００２６】
３ＧＰＰ  ＴＳ  ２３．２２８  付属書類Ｅ．７、ＲおよびＴ．１を参照されたい。
【００２７】
緊急および非緊急ＰＤＮ接続のセットアップまたは解放中に、あるいはＳ２ｂを介した専用ベアラの作成、変更または解放中に、信頼されないＷＬＡＮアクセスを経由してＥＰＣにアクセスするユーザのために同じことをサポートするための、したがって、ｅＰＤＧからＰＧＷおよびＩＭＳにＷＬＡＮロケーション情報を報告するための拡張が、３ＧＰＰ  Ｒｅｌ−１３において定義されている。ＣＲ２３．４０２＃２９０６、Ｓ２−１５３７１１、ｈｔｔｐ：／／ｗｗｗ．３ｇｐｐ．ｏｒｇ／ｆｔｐ／ｔｓｑ＿ｓａ／ＷＧ２＿Ａｒｃｈ／ＴＳＧＳ２＿１１１＿Ｃｈｅｎｇｄｕ／Ｄｏｃｓ／Ｓ２−１５３７１１．ｚｉｐ）を参照されたい。
【００２８】
ＷＬＡＮロケーション情報は、ユーザがそれに接続されるＡＰのＳＳＩＤ、ＢＳＳＩＤ、ＷＬＡＮ事業者名または公的アドレス（ｃｉｖｉｃ  ａｄｄｒｅｓｓ）を含んでいることがある。ＷＬＡＮロケーション情報は、ＰＤＮ接続確立より前の認証および許可プロシージャ中に、ＷＬＡＮアクセスネットワークからｅＰＤＧに報告され得る。
【００２９】
Ｃ４−１５１７１５におけるＣＲ２９．２７３  ０４３０、ｈｔｔｐ：／／ｗｗｗ．３ｇｐｐ．ｏｒｇ／ｆｔｐ／ｔｓｇ＿ｃｔ／ＷＧ４＿ｐｒｏｔｏｃｏｌｌａｒｓ＿ｅｘ−ＣＮ４／ＴＳＧＣＴ４＿７０ｂｉｓ＿Ｂｅｌｇｒａｄｅ／Ｄｏｃｓ／Ｃ４−１５１７１５．ｚｉｐと、
Ｃ４−１５１７２１におけるＣＲ２９．２７４、ｈｔｔｐ：／／ｗｗｗ．３ｇｐｐ．ｏｒｇ／ｆｔｐ／ｔｓｇ＿ｃｔ／ＷＧ４＿ｐｒｏｔｏｃｏｌｌａｒｓ＿ｅｘ−ＣＮ４／ＴＳＧＣＴ４＿７０ｂｉｓ＿Ｂｅｌｇｒａｄｅ／Ｄｏｃｓ／Ｃ４−１５１７２１．ｚｉｐとを参照されたい。
【００３０】
しかしながら、ユーザが、（たとえば、ＭＯＢＩＫＥを使用して）ｅＰＤＧとのそれのＩＫＥｖ２トンネル／ＰＤＮ接続を保ちながら新しいＡＰに移動した、たとえば、ユーザがキャンパス上で移動したとき、新しいＷＬＡＮロケーション情報を用いてｅＰＤＧを更新するための、ＳＷａ（ＷＬＡＮ  ＡＮから３ＧＰＰ  ＡＡＡサーバ）およびＳＷｍ（ｅＰＤＧ−３ＧＰＰ  ＡＡＡサーバ）インターフェースを介したプロシージャが、現在存在しない。
【００３１】
したがって、ｅＰＤＧは、現在、たとえば、ＩＭＳセッションがセットアップまたは解放されるとき、あるいはメディアがＰＤＮ接続の確立の後に追加／削除されるとき、あるいは（ＩＭＳ）ＰＤＮ接続が解放されるとき、現在のユーザのＷＬＡＮロケーション情報を報告することができない。
【００３２】
以下で１）および２）と呼ばれる、本発明の実施形態および／または態様の第１および第２のパートは、以下を含む：
１／  以下を行うためのＳＷａ（ＷＬＡＮ  ＡＮ＜＞３ＧＰＰ  ＡＡＡサーバ）およびＳＷｍ（ｅＰＤＧ＜＞３ＧＰＰ  ＡＡＡサーバ）インターフェースを介した新しいプロシージャが定義される
Ａ）  ＷＬＡＮアクセスネットワークが、３ＧＰＰ  ＡＡＡサーバにＷＬＡＮロケーション情報の変化を報告することを可能にすること、および
Ｂ）  ｅＰＤＧがユーザの現在のＷＬＡＮロケーション情報に気づいているままにし、ｅＰＤＧが最新のＷＬＡＮロケーション情報をＰＧＷ（およびＩＭＳ）に与えることを可能にするために、ｅＰＤＧにＷＬＡＮロケーション情報をフォワーディングすること。
【００３３】
２／  ＡＳがユーザの現在のＷＬＡＮロケーション情報を照会することを可能にするためのＳｈ（ＡＳ＜＞ＨＳＳ）、ＳＷｘ（ＨＳＳ＜＞３ＧＰＰ  ＡＡＡサーバ）およびＳＷａ（ＨＳＳ＜＞ＷＬＡＮ  ＡＮ）インターフェースを介したプロシージャも定義される。
【００３４】
本発明の実施形態および／または態様のパート１）の説明
１／  ３ＧＰＰ  Ｒｅｌ−１３において規定されている要件に従って、ＷＬＡＮアクセスネットワークは、ＳＷａを介した認証および許可プロシージャ中に、３ＧＰＰ  ＡＡＡサーバにＷＬＡＮロケーション情報と、随意にＷＬＡＮロケーションタイムスタンプとを報告することができる。３ＧＰＰ  ＡＡＡサーバは、信頼された情報と見なされた（たとえばＰＬＭＮ事業者がＷＬＡＮ事業者でもある）とき、この情報を格納し、利用可能な場合、ＷＬＡＮロケーションタイムスタンプとともに、後続のＳＷｍ認証および許可プロシージャ中に、ｅＰＤＧにその情報を送信する。
【００３５】
本発明の実施形態は、ＵＥが、同じｅＰＤＧに接続されたままでいながら異なるＡＰに移動し得ることを考慮に入れる。以下の２つのステップが与えられ得る：
Ａ）  ＷＬＡＮアクセスネットワークが、３ＧＰＰ  ＡＡＡサーバにＷＬＡＮロケーション情報の変化を報告することを可能にすること、および
Ｂ）  ｅＰＤＧがユーザの現在のＷＬＡＮロケーション情報に気づいているままにし、ｅＰＤＧが最新のＷＬＡＮロケーション情報をＰＧＷ（およびＩＭＳ）に与えることを可能にするために、３ＧＰＰ  ＡＡＡサーバからｅＰＤＧにＷＬＡＮロケーション情報を与えること。
【００３６】
ｅＰＤＧは、したがって、Ｓ２ｂプロシージャ（ベアラ作成、変更または削除あるいはＰＤＮ接続解放）中に、ＰＧＷに向かって現在のＷＬＡＮロケーション情報と（利用可能な場合）関連するタイムスタンプとを与えることが可能である。
【００３７】
本特徴は、主に、（専用ベアラと関係するプロシージャに関連する）（通常または緊急）ＩＭＳサービスをサポートするＰＤＮ接続を対象とするが、汎用的にされるべきである。
【００３８】
ステップＡ）  ＷＬＡＮアクセスネットワークが、３ＧＰＰ  ＡＡＡサーバにＷＬＡＮロケーション情報の変化を報告することを可能にすること
本発明の実施形態の一部として、ＵＥが、（たとえば、ＭＯＢＩＫＥを使用して）同じｅＰＤＧに接続されたままでいながら異なるＡＰに移動した場合、以下のいずれかである
・  ＷＬＡＮ  ＡＮは、同じＳＷａセッションのために、３ＧＰＰ  ＡＡＡサーバに対して（新しいＷＬＡＮロケーション情報を用いて）新しい再認証および許可プロシージャまたは（再）許可プロシージャをトリガする、あるいは
・  （たとえば、ＳＷａセッションがＡＰ自体において終端する場合）ＷＬＡＮ  ＡＮは、前のＳＷａセッションをティアダウンし、新しいＳＷａセッションを確立する、すなわち、３ＧＰＰ  ＡＡＡサーバは、（新しいＷＬＡＮロケーション情報およびタイムスタンプを用いた）新しいＳＷａセッション確立と前のＳＷａセッションの解放とを（場合によっては任意の順序で）経験することになる。
【００３９】
どちらの場合も、３ＧＰＰ  ＡＡＡサーバは、ユーザのために格納されたＷＬＡＮロケーション情報を直近のＷＬＡＮロケーション情報と置き換える。
【００４０】
ＵＥは、ＷＬＡＮロケーション情報が利用可能である（３ＧＰＰ  ＡＡＡサーバが、ＷＬＡＮ  ＡＮが与えるＷＬＡＮロケーション情報を信頼する）場所から、そのＷＬＡＮロケーション情報がもはや利用可能でない（たとえば、３ＧＰＰ  ＡＡＡサーバが、ＷＬＡＮ  ＡＮが与えるＷＬＡＮロケーション情報を信頼しない、またはＷＬＡＮ  ＡＮがいかなるそのような情報も与えない）場所に移動し得る。逆の状況も可能である。これは、ステップＢにおいて、ＷＬＡＮが、ＷＬＡＮロケーション情報がいつ利用可能であるかがわかることが可能でなければならないことを意味する。
【００４１】
ステップＢ）  ３ＧＰＰ  ＡＡＡサーバからｅＰＤＧにＷＬＡＮロケーション情報を与えること。
ｅＰＤＧがＷＬＡＮロケーション情報を得るために、２つの方法／モードが可能である（ＷＬＡＮロケーション情報検索モードまたはＷＬＩＲモード）
Ｂ．１）  ３ＧＰＰ  ＡＡＡサーバからｅＰＤＧにＷＬＡＮロケーション情報を与えるためのプッシュモード
３ＧＰＰ  ＡＡＡサーバは、それがＵＥの移動性を検出したとき、ｅＰＤＧに新しいＷＬＡＮロケーション情報をプッシュする：３ＧＰＰ  ＡＡＡサーバは、ＡＡＡに向かって新しい許可プロシージャを開始するようにｅＰＤＧをトリガするためのＳＷｍ許可情報更新プロシージャを開始し、その間、ＡＡＡは、ｅＰＤＧに新しいＷＬＡＮロケーション情報とタイムスタンプとをプッシュすることができる。
【００４２】
Ｂ．２）  ｅＰＤＧからＷＬＡＮロケーション情報を得るためのプルモード
それがＷＬＡＮロケーション情報を必要とするとき（＊）、ｅＰＤＧは、３ＧＰＰ  ＡＡＡサーバに照会する／３ＧＰＰ  ＡＡＡサーバからそのＷＬＡＮロケーション情報をプルする
（＊）それがＵＬＩを送信する必要があるとき、（たとえば、それがベアラ作成応答またはベアラ削除応答を送信する必要があるとき）。
【００４３】
Ｂ．３）  ＷＬＡＮロケーション情報検索のためのプッシュモードとプルモードとの間の選定（ＷＬＩＲモード）
最良の（プッシュ／プル）モードは、ＳＷａ再認証の数がＩＭＳセッションイベント（セットアップ、ベアラ追加、解放、．．．）の数よりも大きいのか小さいのかに依存する
・  交通信号シナリオをとると（＊）、ＳＷａ再認証の数は高くなり得るが、ユーザはＩＭＳセッションに関与せず、したがって、プッシュモードでは、無用な情報がｅＰＤＧに送信される
○  （＊）車中のＵＥは、車が移動している間、町のＷｉ−Ｆｉに接続しない（ＵＥは、ＡＰに接続するための安定したＷｉＦｉ信号を待つ）が、（車が仮に１５秒超の間停止したとき）各赤信号において接続する。その場合、ＵＥは、Ｓ２ｂセッションが保たれるが、ＡＰを変更し続けることになる（ＩＫＥ有効性検査（ｌｉｖｅｌｉｎｅｓｓ  ｃｈｅｃｋ）の頻度が、赤信号における停止の頻度よりも低い
・  逆に、ＵＥが移動しないとき、プルモードを用いて、ｅＰＤＧは、ＩＭＳセッションの開始／更新および解放において、同じ情報をフェッチすることになる。
【００４４】
両方のモードが、有用であるように見え、したがって定義される必要がある。最も好適なモードを定義するためのアルゴリズムが、コールフローのステップＢ．３において定義されている。
【００４５】
コールフロー
現在定義されているプロシージャ
図２は、（既存の仕様書およびＲｅｌ−１３拡張に従う）信頼されないＷＬＡＮアクセスを介したＰＤＮ接続確立の一例を与える。
【００４６】
ステップ１において、ＷＬＡＮ  ＡＮは、ＳＷａ認証および許可プロシージャを開始し、３ＧＰＰ  Ｒｅｌ−１３（ＣＴ４＃７０ｂｉｓ中に合意された、２９．２７３  ＣＲ  ０４３０、Ｃ４−１５１７１５、ｈｔｔｐ：／／ｗｗｗ．３ｇｐｐ．ｏｒｇ／ｆｔｐ／ｔｓｇ＿ｃｔ／ＷＧ４＿ｐｒｏｔｏｃｏｌｌａｒｓ＿ｅｘ−ＣＮ４／ＴＳＧＣＴ４＿７０ｂｉｓ＿Ｂｅｌｇｒａｄｅ／Ｄｏｃｓ／Ｃ４−１５１７１５．ｚｉｐ）において規定されているように、３ＧＰＰ  ＡＡＡサーバに送信される要求にＷＬＡＮロケーション情報を含める。
【００４７】
【表１】
0006622915.tif 000002
【００４８】
ステップ２において、ｅＰＤＧは、３ＧＰＰ  Ｒｅｌ−１３（２９．２７３  ＣＲ  ０４３０、Ｃ４−１５１７１５）において規定されているように、ＳＷｍ認証および許可回答メッセージにおいてＷＬＡＮロケーション情報とタイムスタンプとをフォワーディングする。
【００４９】
ステップＡ）  ＷＬＡＮアクセスネットワークが、３ＧＰＰ  ＡＡＡサーバにＷＬＡＮロケーション情報の変化を報告することを可能にすること
本発明の実施形態の一部として、３ＧＰＰ  ＡＡＡサーバが、ＷＬＡＮ  ＡＮに、ＳＷａ認証および許可回答における新しい情報要素を経由してＷＬＡＮロケーション情報の変化を報告するように要求した場合、ユーザが異なるＡＰに移動したことをＷＬＡＮ  ＡＮが検出したとき、ＷＬＡＮ  ＡＮは以下のいずれかを行うものとする：
ａ）同じＳＷａセッションのために、新しい再認証および許可プロシージャ、または（再）許可プロシージャをトリガする。
【００５０】
前者（再認証および許可）の場合、メッセージ／プロシージャは、３ＧＰＰ  ＴＳ  ２９．２７３において規定されている既存のＳＷａ認証および許可要求と同様であるが、プロシージャは、（新しいＳＷａセッションを確立するのとは対照的に）既存のＳＷａセッションのために呼び出される。
【００５１】
後者（再許可プロシージャ）の場合、ＳＷａ要求は、既存のＳＷａ認証および許可プロシージャと同様であるが、認証要求タイプはＡＵＴＨＯＲＩＺＥ＿ＯＮＬＹに設定される。ＷＬＡＮ  ＡＮは、ＥＡＰ−ＡＫＡ’チャレンジレスポンスがすでに正常に検査されたので、３ＧＰＰ  ＡＡＡサーバに、それがＥＡＰペイロードを無視するべきであることを告げるために、要求中に、前の要求において送信された最後のＥＡＰペイロード、または（３ＧＰＰによって決定されるべき）ダミーＥＡＰペイロードを含め、余分のフラグを設定する（ＥＡＰペイロードを無視するための同様の手法が、ＳＴａインターフェースを介した単一接続モード（ＳＣＭ）の信頼されたＷＬＡＮのために規定されており、問題は、ＥＡＰペイロードがＩＥＴＦ  ＲＦＣによればＤＥＲメッセージにおいて必須であることであった）。
【００５２】
認証要求タイプがＡＵＴＨＯＲＩＺＥ＿ＯＮＬＹに設定されたＳＷａ認証および許可回答
注：  本発明の実施形態によってもたらされる新しい挙動は、認証要求タイプがＡＵＴＨＯＲＩＺＥ＿ＯＮＬＹに設定されたときにＷＬＡＮロケーション情報とＷＬＡＮロケーションタイムスタンプとを与えることと、その場合、ダミーＥＡＰペイロードを示すこととにある。
【００５３】
下記の表は、本発明の実施形態による、再許可プロシージャ中に送信されるＳＷａ認証および許可要求メッセージの情報要素コンテンツを示すことを意図する。本発明の実施形態に従って導入されるいくつかの要素は、この表中で下線が引かれている。
【００５４】
【表２】
0006622915.tif 000003
0006622915.tif 000004
【００５５】
または
ｂ）  代替的に、ＴＷＡＮ  ＡＮは、既存のＳＷａ認証および許可プロシージャを使用して、３ＧＰＰ  ＡＡＡサーバに向かう既存のＳＷａセッションを解放し、新しいＳＷａセッションを再確立し、新しいＷＬＡＮロケーション情報とタイムスタンプとを含め得る（または場合によってはＷＬＡＮロケーション情報を含めない）。これはまた、ＡＰがＳＷａ終端エンドポイントをサポートし、ＵＥが新しいＡＰに移動した場合に行われることになる手法である。
【００５６】
どちらの場合（ａおよびｂ）も、３ＧＰＰ  ＡＡＡサーバは、前に報告されたＷＬＡＮロケーション情報およびタイムスタンプを、新しいＷＬＡＮロケーション情報およびタイムスタンプで（それのローカルストレージにおいて）置き換える。
【００５７】
ステップＢ）  ３ＧＰＰ  ＡＡＡサーバからｅＰＤＧにＷＬＡＮロケーション情報を与えること。
どちらのモードでも、ｅＰＤＧは、３ＧＰＰ  ＡＡＡサーバからＷＬＡＮロケーション情報を受信しないことがある。その場合、ｅＰＤＧは、それが、（ＷＬＡＮロケーションタイムスタンプを使用して）このロケーションが十分に最近であると見なす場合、これまで受信されたＷＬＡＮロケーション情報を保ち（それをＰＧＷに報告し）得るか、またはｅＰＤＧは、これまで受信されたＷＬＡＮロケーション情報がもはや有効でないと見なし、（ＵＥの外側ＩＰ＠など）それが有し得るどんな他のロケーション情報でもＰＧＷに送信する、のいずれかである。
【００５８】
どちらのモードでも、それが有効なＷＬＡＮロケーション情報を有する場合、ＡＡＡサーバは、ＳＷｍセッションのセットアップにおいてｅＰＤＧにこのＷＬＡＮロケーション情報を送信する。
【００５９】
Ｂ．１）  ３ＧＰＰ  ＡＡＡサーバからｅＰＤＧにＷＬＡＮロケーション情報を与えるためのプッシュモード
３ＧＰＰ  ＡＡＡサーバは、それがＵＥの移動性を検出したとき、ｅＰＤＧに新しいＷＬＡＮロケーション情報をプッシュする：３ＧＰＰ  ＡＡＡサーバは、３ＧＰＰ  ＡＡＡサーバに向かって新しい許可プロシージャを開始するようにｅＰＤＧをトリガするためのＳＷｍ許可情報更新プロシージャ（３ＧＰＰ  ＴＳ  ２９．２７３のサブクローズ７．１．２．５．１参照）を開始し、その間、３ＧＰＰ  ＡＡＡサーバは、ｅＰＤＧに新しいＷＬＡＮロケーション情報とタイムスタンプとをプッシュすることができる。３ＧＰＰ  ＡＡＡサーバは、それが、新しいＡＰから受信されたＷＬＡＮロケーション情報を信頼しないとき、または新しいＡＰがそのような情報を与えないとき、ＳＷｍ許可回答（ダイアメータＡＡＡ）においてＷＬＡＮロケーション情報を与えない
【００６０】
対応するシグナリングフローが図３に示されている。
【００６１】
下記の表は、本発明の実施形態による、ＳＷｍ許可回答メッセージの情報要素コンテンツを示すことを意図する。本発明の実施形態に従って導入されるいくつかの要素は、この表中で下線が引かれている。
【００６２】
【表３】
0006622915.tif 000005
0006622915.tif 000006
【００６３】
Ｂ．２）  ｅＰＤＧからＷＬＡＮロケーション情報を得るためのプルモード
それがＳ２ｂを介してＵＬＩ（ユーザロケーション情報）を送信する必要があるとき、ｅＰＤＧは３ＧＰＰ  ＡＡＡサーバからこの情報をフェッチする。このモードは、したがって、プッシュモードの第２の部分を使用する。
【００６４】
対応するシグナリングフローが図４に示されている。
【００６５】
Ｂ．３）  ＷＬＡＮロケーション情報検索のためのプッシュモードとプルモードとの間の選定（ＷＬＩＲモード）
・  ３ＧＰＰは、ｅＰＤＧとＡＡＡサーバの両方において実装すべき必須のＷＬＩＲモード（プッシュまたはプル）を定義すると仮定される
・  ＳＷｍセッションのセットアップにおいて、ｅＰＤＧおよびＡＡＡサーバは、それらがサポートするＷＬＩＲモード（プッシュ、プル、または両方）をアドバタイズする。ｅＰＤＧは、さらに、ｅＰＤＧおよびＡＡＡサーバが両方のＷＬＩＲモードをサポートする場合、この特定のＳＷｍセッションのために使用すべきデフォルトＷＬＩＲモードを示す
○  ｅＰＤＧおよびＡＡＡサーバが、それらがサポートするＷＬＩＲモードをアドバタイズすることを可能にするための、新しいＩＥがＳＷｍ上で定義される。それは、（ｅＰＤＧからの）ＳＷｍ認証および許可要求において、および（３ＧＰＰ  ＡＡＡサーバからの）認証および許可回答において使用される
○  ｅＰＤＧが、さらに、使用すべきデフォルトＷＬＩＲモードを示すことを可能にするための、新しいＩＥがＳＷｍ上で定義される。それは、（ｅＰＤＧからの）ＳＷｍ認証および許可要求において使用される
・  ｅＰＤＧおよびＡＡＡサーバのうちの１つが１つのＷＬＩＲモードのみをサポートするとき、そのモードは、ＳＷｍセッション全体のためのＷＬＩＲモードとして選択される。
・  ｅＰＤＧとＡＡＡサーバの両方が、両方のＷＬＩＲモードをサポートするとき、ＳＷｍセッションは、ＳＷｍセッション開始においてｅＰＤＧによって示されたデフォルトＷＬＩＲモードで開始するが、いつでもｅＰＤＧはＷＬＩＲモードを変更し、ＳＷｍ許可要求（ダイアメータＡＡＲ）において新しいデフォルトＷＬＩＲモードを示すことができる。
○  したがって、ｅＰＤＧがデフォルトＷＬＩＲモードを変更することが可能であるための、新しいＩＥがＳＷｍ許可要求において必要とされる
○  この特徴の使用の一例は以下の通りである
・  初期デフォルトＷＬＩＲモードがプルモードである。
・  ｅＰＤＧが、（たとえば、最初の専用ベアラの作成において）ＩＭＳセッションの開始を検出したとき、それは、ＳＷｍ許可要求（ダイアメータＡＡＲ）を使用してＷＬＡＮロケーション情報をフェッチし、新しいＷＬＩＲモード（プッシュ）を示す。
・  ｅＰＤＧが、（たとえば、最後の専用ベアラの削除において）ＩＭＳセッションの終了を検出したとき、それは、ＳＷｍ許可要求（ダイアメータＡＡＲ）を使用してＷＬＡＮロケーション情報をフェッチし、新しいＷＬＩＲモード（プル）を示す。
・  したがって、ＩＭＳセッションがない限り、ＷＬＡＮロケーション情報を与えるためのＳＷｍを介したシグナリングはない。
○  異なるモードが、ＳＷｍセッションの存続期間にわたって、および（各加入者の移動性および活動挙動に応じて）異なるＳＷｍセッション間で使用され得る。
・  代替として、モードは、事業者ポリシーに基づいて選定され得、たとえば、ＩＭＳ  ＡＰＮに関係するＳＷｍセッションのためにプッシュモードが選定され、非ＩＭＳ  ＡＰＮに関係するＳＷｍセッションのためにプルモードが選定され得る。
【００６６】
本発明の実施形態および／または態様のパート２）の説明
２／  さらに、以下のように、ＡＳがユーザの現在のＷＬＡＮロケーション情報を照会することを可能にするためのプロシージャも（本発明の実施形態の一部として）定義される：
ＡＳがユーザロケーションを得る必要があるとき、それは、（ＴＳ  ２３．２２８の付属書類Ｒ．５の原理に従って）ユーザのロケーションについてＨＳＳに照会するが、ユーザが信頼されないＷＬＡＮアクセスを経由してＥＰＣにアクセスしている場合、ユーザのＷＬＡＮロケーションをも得るための要求を伴う、すなわち、
−  ＡＳは、信頼されないＷＬＡＮアクセスのために３ＧＰＰ  ＡＡＡサーバにおける加入者のロケーションを要求するために、Ｓｈプル要求（３ＧＰＰ  ＴＳ  ２９．３２８のサブクローズ６．１．１参照）を開始し、要求されたドメインはＰＳに設定され、要求されたノードは、値「ＵＷＡＮのための３ＧＰＰ  ＡＡＡサーバ」（３ＧＰＰ  ＴＳ  ２９．３２９のサブクローズ６．３．７Ａにおいて規定されている要求されたノードＡＶＰのための、本発明の実施形態の一部としての新しい値）を示し、ＡＳは、代替的に、ＷＬＡＮアクセスにおいて加入者のロケーションを要求するためにＳｈプル要求を開始し得る（すなわち、要求されたノードは、値「値「ＵＷＡＮのための３ＧＰＰ  ＡＡＡサーバ」＋「「ＴＷＡＮのための３ＧＰＰ  ＡＡＡサーバ」を、さらにはより一般的にはアクセスネットワークにおいて示す。
−  ＨＳＳは、次いで、信頼されたＷＬＡＮアクセスのために３ＧＰＰ  ＴＳ  ２９．２７３のサブクローズ８．１．２．３．２において現在規定されているように、ユーザロケーションを要求するために、ＰＰＲフラグにおいてアクセス−ネットワーク−情報−要求および／またはＵＥ−ローカル−時間−ゾーン−要求ビットを設定するユーザプロファイル更新要求（プッシュプロファイル要求）を開始する、
−  本発明の実施形態の一部として、ＵＥが、信頼されないＷＬＡＮアクセスを経由してＥＰＣにアタッチされる場合、３ＧＰＰ  ＡＡＡサーバは、次いで、（本発明の実施形態のパート１／において説明されたように）ＷＬＡＮ  ＡＮから受信された最後のＷＬＡＮロケーション情報およびタイムスタンプをＨＳＳに返す。
【００６７】
本発明の代替実施形態および／または態様の説明
注：  ＷＬＡＮ  ＡＮが、動的に、（１／において提案されたように）新しいＷＬＡＮロケーション情報を用いて３ＧＰＰ  ＡＡＡサーバを更新することが３ＧＰＰにおいて合意されなかった場合、３ＧＰＰ  ＡＡＡサーバは、次いで、以下のように挙動することになる：
○  ＵＥが、信頼されないＷＬＡＮアクセスを経由してＥＰＣにアタッチされる場合、３ＧＰＰ  ＡＡＡサーバは、３ＧＰＰ  ＴＳ  ２９．２７３のサブクローズ４．１．２．４において規定されているように（ＳＷａを介して）ＷＬＡＮ  ＡＮに向かって新しい再認証および許可要求を開始するものとする。
○  ＷＬＡＮ  ＡＮは、次いで、１／において規定されているように、再認証および許可プロシージャを進め、最後のＷＬＡＮロケーション情報を含める。
○  ３ＧＰＰ  ＡＡＡサーバは、次いで、ＷＬＡＮ  ＡＮから受信された最後のＷＬＡＮロケーション情報およびタイムスタンプをＨＳＳに返す
対応するシグナリングフローが図５に示されている。
【００６８】
本発明の様々な態様および／または実施形態は、（それに限定はされないが）以下の態様を含む。
【００６９】
一態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成された３ＧＰＰ  ＡＡＡサーバである。
【００７０】
様々な組合せに従って、組み合わせてまたは単独で用いられ得る、（それに限定はされないが）以下の実施形態を含む様々な実施形態が与えられ得る。
【００７１】
一実施形態では、前記３ＧＰＰ  ＡＡＡサーバは：
−  ＵＥの移動性があった場合、３ＧＰＰパケットコアネットワークへの信頼されないアクセスを介した前記ＵＥとの安全なリンクを終端するｅＰＤＧなどの機能に、新しいＷＬＡＮロケーション情報またはＷＬＡＮロケーション情報の不在の指示を与える
ように構成される。
【００７２】
一実施形態では、前記３ＧＰＰ  ＡＡＡサーバは：
−  ＵＥの移動性があった場合、ｅＰＤＧに新しいＷＬＡＮロケーション情報またはＷＬＡＮロケーション情報の不在の指示をプッシュする
ように構成される。
【００７３】
一実施形態では、前記３ＧＰＰ  ＡＡＡサーバは：
−  ３ＧＰＰ  ＡＡＡサーバに向かって新しい許可プロシージャを開始するようにｅＰＤＧをトリガするために、ｅＰＤＧへのＳＷｍインターフェースを介してＳＷｍ許可情報更新プロシージャを開始することと、
−  前記新しい許可プロシージャ中に前記ｅＰＤＧに向かって送信されるＳＷｍ許可回答において、前記新しいＷＬＡＮロケーション情報またはＷＬＡＮロケーション情報の不在の指示を与えることと
を行うように構成される。
【００７４】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成されたｅＰＤＧである。
【００７５】
様々な組合せに従って、組み合わせてまたは単独で用いられ得る、（それに限定はされないが）以下の実施形態を含む様々な実施形態が与えられ得る。
【００７６】
一実施形態では、前記ｅＰＤＧは：
−  前記ｅＰＤＧが、ユーザロケーション情報ＵＬＩを報告する必要がある場合、３ＧＰＰ  ＡＡＡサーバからＷＬＡＮロケーション情報をフェッチする
ように構成される。
【００７７】
一実施形態では、前記ｅＰＤＧは：
−  前記３ＧＰＰ  ＡＡＡサーバへのＳＷｍインターフェースを介して新しい許可プロシージャを開始することと、
−  前記プロシージャ中に３ＧＰＰ  ＡＡＡサーバから受信されたＳＷｍ許可回答において、ＷＬＡＮロケーション情報またはＷＬＡＮロケーション情報の不在の指示を受信することと
を行うように構成される。
【００７８】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成された３ＧＰＰ  ＡＡＡサーバである。
【００７９】
様々な組合せに従って、組み合わせてまたは単独で用いられ得る、（それに限定はされないが）以下の実施形態を含む様々な実施形態が与えられ得る。
【００８０】
一実施形態では、前記３ＧＰＰ  ＡＡＡサーバは：
−  ３ＧＰＰ  ＡＡＡサーバがｅＰＤＧにＷＬＡＮロケーション情報の変化をプッシュするプッシュモードと、ｅＰＤＧが３ＧＰＰ  ＡＡＡサーバからＷＬＡＮロケーション情報をプルするプルモードとを含む、２つのＷＬＡＮロケーション情報検索ＷＬＩＲモードのうちのどちらを前記３ＧＰＰ  ＡＡＡサーバがサポートするかをアドバタイズする
ように構成される。
【００８１】
一実施形態では、前記３ＧＰＰ  ＡＡＡサーバは：
−  ３ＧＰＰ  ＡＡＡサーバがどのＷＬＩＲモードをサポートするかを示す情報要素をＳＷｍ認証および許可回答に含める
ように構成される。
【００８２】
一実施形態では、前記３ＧＰＰ  ＡＡＡサーバは：
−  ｅＰＤＧおよび３ＧＰＰ  ＡＡＡサーバが両方のＷＬＩＲモードをサポートする場合、ｅＰＤＧによって示された、特定のＳＷｍセッションのために使用すべきデフォルトＷＬＩＲモードを選定する
ように構成される。
【００８３】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成されたｅＰＤＧである。
【００８４】
様々な組合せに従って、組み合わせてまたは単独で用いられ得る、（それに限定はされないが）以下の実施形態を含む様々な実施形態が与えられ得る。
【００８５】
一実施形態では、前記ｅＰＤＧは：
−  ３ＧＰＰ  ＡＡＡサーバがｅＰＤＧにＷＬＡＮロケーション情報の変化をプッシュするプッシュモードと、ｅＰＤＧが３ＧＰＰ  ＡＡＡサーバからＷＬＡＮロケーション情報をプルするプルモードとを含む、２つのＷＬＡＮロケーション情報検索ＷＬＩＲモードのうちのどちらを前記ｅＰＤＧがサポートするかをアドバタイズする
ように構成される。
【００８６】
一実施形態では、前記ｅＰＤＧは：
−  ｅＰＤＧがどのＷＬＩＲモードをサポートするかを示す情報要素を、ＳＷｍセッション開始においてＳＷｍ認証および許可要求に含める
ように構成される。
【００８７】
一実施形態では、前記ｅＰＤＧは：
−  ｅＰＤＧおよび３ＧＰＰ  ＡＡＡサーバが両方のＷＬＩＲモードをサポートする場合、特定のＳＷｍセッションのために使用すべきデフォルトＷＬＩＲモードを示す
ように構成される。
【００８８】
一実施形態では、前記ｅＰＤＧは：
−  ＳＷｍセッション中にデフォルトＷＬＩＲモードを変更する
ように構成される。
【００８９】
一実施形態では、前記ｅＰＤＧは：
−  デフォルトＷＬＩＲモードの変化を示す情報要素をＳＷｍ許可要求に含める
ように構成される。
【００９０】
一実施形態では、前記ｅＰＤＧは：
−  ｅＰＤＧおよび３ＧＰＰ  ＡＡＡサーバが両方のＷＬＩＲモードをサポートする場合、事業者ポリシーに基づいて、特定のＳＷｍセッションのために使用すべきデフォルトＷＬＩＲモードを選定する
ように構成される。
【００９１】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成されたＷＬＡＮアクセスネットワークＷＬＡＮ  ＡＮである。
【００９２】
様々な組合せに従って、組み合わせてまたは単独で用いられ得る、（それに限定はされないが）以下の実施形態を含む様々な実施形態が与えられ得る。
【００９３】
一実施形態では、前記ＷＬＡＮ  ＡＮは：
−  ＵＥの移動性があった場合、３ＧＰＰ  ＡＡＡサーバによってそのように要求されると、３ＧＰＰ  ＡＡＡサーバにＷＬＡＮロケーション情報の変化を報告する
ように構成される。
【００９４】
一実施形態では、前記ＷＬＡＮ  ＡＮは：
−  既存のＳＷａセッションのために、３ＧＰＰ  ＡＡＡサーバへのＳＷａインターフェースを介して再認証および許可プロシージャ、または再許可プロシージャをトリガすることと、
−  前記プロシージャ中に前記３ＧＰＰ  ＡＡＡサーバに送信されるＳＷａ認証および許可要求メッセージにおいて、ＷＬＡＮロケーション情報を与えることと
を行うように構成される。
【００９５】
一実施形態では、前記ＷＬＡＮ  ＡＮは：
−  ダミーＥＡＰペイロードまたは以前のＥＡＰ交換において送信されたＥＡＰペイロードを、再許可プロシージャ中に送信されるＳＷａ認証および許可要求メッセージに含めることと、
−  前記要求においてＥＡＰペイロードが無視され得ることを示すフラグを、前記メッセージに含めることと
を行うように構成される。
【００９６】
一実施形態では、前記ＷＬＡＮ  ＡＮは：
−  既存のＳＷａセッションを解放し、新しいＳＷａセッションを確立することと、
−  前記新しいＳＷａセッションを確立するために前記３ＧＰＰ  ＡＡＡサーバに送信されるＳＷａ認証および許可要求メッセージにおいて、ＷＬＡＮロケーション情報を与えることと
を行うように構成される。
【００９７】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成された３ＧＰＰ  ＡＡＡサーバである。
【００９８】
（それに限定はされないが）以下を含む様々な実施形態が与えられ得る：
一実施形態では、前記３ＧＰＰ  ＡＡＡサーバは、信頼されないＷＬＡＮアクセスのためのＷＬＡＮロケーション情報を要求するためのホーム加入者サーバＨＳＳからのユーザプロファイル更新要求を受信した時に、以下の行為：
−  ホーム加入者サーバＨＳＳに信頼されないＷＬＡＮアクセスにおけるＷＬＡＮロケーション情報を返すことと、
−  ＷＬＡＮロケーション情報を検索するために、ＷＬＡＮ  ＡＮに向かってＳＷａインターフェースを介して再認証および許可プロシージャを開始することと
のうちの少なくとも１つを実行するように構成される。
【００９９】
別の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成されたアプリケーションサーバである。
【０１００】
（それに限定はされないが）以下を含む様々な実施形態が与えられ得る：
一実施形態では、前記アプリケーションサーバは：
−  ３ＧＰＰ  ＡＡＡサーバに信頼されないＷＬＡＮアクセスのためのＷＬＡＮロケーション情報を要求するＳｈプル要求メッセージを、ホーム加入者サーバＨＳＳに送信する
ように構成される。
【０１０１】
別の態様は、ユーザ機器ＵＥが、信頼されないＷＬＡＮアクセスを経由した３ＧＰＰ  ３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのために構成されたホーム加入者サーバＨＳＳである。
【０１０２】
（それに限定はされないが）以下を含む様々な実施形態が与えられ得る：
一実施形態では、前記ＨＳＳは：
−  信頼されないＷＬＡＮアクセスのためのＷＬＡＮロケーション情報を要求するために、ユーザプロファイル更新要求を開始する
ように構成される。
【０１０３】
他の態様は、ユーザ機器ＵＥが、信頼されないＷＬＡＮアクセスを経由した３ＧＰＰパケットコアネットワークへのアクセスのためにアタッチされるＷＬＡＮ  ＡＮの、ＷＬＡＮロケーション情報と呼ばれる、ロケーション情報の報告または検索のサポートのための（１つまたは複数の）方法に関し、前記（１つまたは複数の）方法は、上記のエンティティ（３ＧＰＰ  ＡＡＡサーバ、ｅＰＤＧまたはＰＤＧ、ＷＬＡＮアクセスネットワーク、ＨＳＳ、アプリケーションサーバ）のうちの少なくとも１つによって実行される少なくとも１つのステップを含む。
【０１０４】
様々な上記で説明した方法のステップが、プログラムされたコンピュータによって実行され得ることを、当業者は容易に認識されよう。本明細書では、いくつかの実施形態はまた、機械またはコンピュータ可読であり、命令の機械実行可能プログラムまたはコンピュータ実行可能プログラムを符号化するプログラム記憶デバイス、たとえば、デジタルデータ記憶媒体をカバーするものであり、前記命令は、前記上記で説明した方法のステップの一部または全部を実行する。プログラム記憶デバイスは、たとえば、デジタルメモリ、磁気ディスクおよび磁気テープなどの磁気記憶媒体、ハードドライブ、または光学的に読取り可能なデジタルデータ記憶媒体であり得る。実施形態はまた、上記で説明した方法の前記ステップを実行するようにプログラムされたコンピュータをカバーするものである。
【図１】
0006622915.tif 000007
【図２】
0006622915.tif 000008
【図３】
0006622915.tif 000009
【図４】
0006622915.tif 000010
【図５】
0006622915.tif 000011